(57)【要約】【課題】  登録のための特別な操作なしに印刷条件等の設定を登録することができる画像形成装置を提供すること。【解決手段】  画像形成ジョブの実行に係る、予め定められた１つ以上の設定項目に対するユーザ設定を記憶する設定値登録記憶部１２と、設定値登録記憶部１２に記憶されている１つ以上の前記ユーザ設定から１つのユーザ設定を操作者が選択するための操作部２と、画像形成ジョブの実行指示を受け付けた場合に、前記ユーザ設定を設定値登録記憶部１２に記憶させると共に、操作部２により選択されたユーザ設定の各設定値を装置に設定する設定値登録制御部１５とを画像形成装置１に備える。【選択図】  図２
2006039470.tif 000002
【特許請求の範囲】
【請求項１】
画像形成ジョブの実行に係る、予め定められた１つ以上の設定項目に対する各設定値からなるユーザ設定を記憶するユーザ設定記憶手段と、
画像形成ジョブの実行指示を受け付けたときに、前記ユーザ設定を前記ユーザ設定記憶手段に記憶させる自動記憶制御手段と、
前記ユーザ設定記憶手段に記憶されている前記ユーザ設定から１つのユーザ設定を操作者が選択するための選択手段と、
前記選択手段により選択されたユーザ設定に含まれる各設定値を装置に設定する設定手段と、
画像形成ジョブを実行する画像形成ジョブ実行手段と
を備える画像形成装置。
【請求項２】
前記ユーザ設定記憶手段に前記ユーザ設定を記憶することを操作者が指示するための指示手段と、
前記指示手段により指示が受け付けられた場合に、画像形成ジョブの実行指示を受け付けたか否かにかかわらず、前記ユーザ設定を前記ユーザ設定記憶手段に記憶させる手動記憶制御手段と
を更に備える請求項１に記載の画像形成装置。
【請求項３】
前記自動記憶制御手段により記憶された前記ユーザ設定が、前記選択手段により選択された頻度に関する頻度情報を、そのユーザ設定に付加する頻度情報付加手段と、
前記ユーザ設定記憶手段に前記ユーザ設定を記憶する場合において、記憶領域が十分にないときには、前記頻度情報付加手段により前記ユーザ設定に付加された前記頻度情報が最も低い前記ユーザ設定を消去する消去手段と
を更に備える請求項１又は２に記載の画像形成装置。
【請求項４】
前記自動記憶制御手段は、操作者特定情報に前記ユーザ設定を対応付けて前記ユーザ設定記憶手段に記憶させ、
前記操作者特定情報が入力される操作者特定情報入力手段と、
前記操作者特定情報入力手段により入力された操作者特定情報に対応付けられた、前記ユーザ設定記憶手段に記憶されている前記ユーザ設定を前記選択手段で操作者が選択可能な状態とする選択環境制御手段と
を更に備える請求項１〜３のいずれかに記載の画像形成装置。
【請求項５】
前記自動記憶制御手段は、前記ユーザ設定を前記ユーザ設定記憶手段に記憶させる場合に、当該ユーザ設定と、所定数以上の設定項目についての設定値が一致するユーザ設定が既に前記ユーザ設定記憶手段に記憶されている場合には、一方のユーザ設定のみを前記ユーザ設定記憶手段に記憶させる請求項１〜４のいずれかに記載の画像形成装置。
【発明の詳細な説明】
【技術分野】
【０００１】
本発明は、印刷条件等を設定することの可能な画像形成装置に関する。
【背景技術】
【０００２】
従来、複写機等の画像形成装置の中には、頻繁に使用する、印刷条件等の設定を登録するためのプログラム機能を持ったものがある。例えば下記特許文献１には、複数の機能の組合せの編集設定内容を記憶させておき、必要時に読み出して設定することのできる原稿読取記録装置について記載されている。
【特許文献１】特開２００２−１８５６６２号公報
【発明の開示】
【発明が解決しようとする課題】
【０００３】
しかしながら、上記のようなプログラム登録は登録するというユーザによる操作が必要であり、その煩雑さもあって使用回数の多いユーザ以外はあまりプログラム機能を活用していない。
【０００４】
本発明は、上記問題点に鑑みて成されたもので、登録のための特別な操作なしに印刷条件等の設定を登録することができる画像形成装置を提供することを目的とする。
【課題を解決するための手段】
【０００５】
請求項１に係る画像形成装置は、画像形成ジョブの実行に係る、予め定められた１つ以上の設定項目に対する各設定値からなるユーザ設定を記憶するユーザ設定記憶手段と、画像形成ジョブの実行指示を受け付けたときに、前記ユーザ設定を前記ユーザ設定記憶手段に記憶させる自動記憶制御手段と、前記ユーザ設定記憶手段に記憶されている前記ユーザ設定から１つのユーザ設定を操作者が選択するための選択手段と、前記選択手段により選択されたユーザ設定に含まれる各設定値を装置に設定する設定手段と、画像形成ジョブを実行する画像形成ジョブ実行手段とを備えるものである。
【０００６】
この構成によれば、画像形成ジョブを実行するときに、画像形成ジョブの設定項目に対するユーザ設定を装置が自動的に記憶する。その後操作者は、装置に記憶されているユーザ設定の中から適当なユーザ設定を、選択手段を用いて選択し、装置に設定することができる。これにより、操作者が、操作の面倒な設定値の記憶を手動で行うことなく、ユーザ設定が装置に記憶されるので、操作者は、煩わしい操作を行うことなく、ユーザ設定を記憶させることができる。
【０００７】
請求項２に係る画像形成装置は、請求項１に記載の画像形成装置であって、前記ユーザ設定記憶手段に前記ユーザ設定を記憶することを操作者が指示するための指示手段と、前記指示手段により指示が受け付けられた場合に、画像形成ジョブの実行指示を受け付けたか否かにかかわらず、前記ユーザ設定を前記ユーザ設定記憶手段に記憶させる手動記憶制御手段とを更に備えるものである。
【０００８】
この構成によれば、操作者は手動で指示を与えてユーザ設定を装置に記憶することができるので、画像形成ジョブを実行しない場合であっても、所望のユーザ設定を記憶することができる。
【０００９】
請求項３に係る画像形成装置は、請求項１又は２に記載の画像形成装置であって、前記自動記憶制御手段により記憶された前記ユーザ設定が、前記選択手段により選択された頻度に関する頻度情報を、そのユーザ設定に付加する頻度情報付加手段と、前記ユーザ設定記憶手段に前記ユーザ設定を記憶する場合において、記憶領域が十分にないときには、前記頻度情報付加手段により前記ユーザ設定に付加された前記頻度情報が最も低い前記ユーザ設定を消去する消去手段とを更に備えるものである。
【００１０】
この構成によれば、装置にユーザ設定を記憶するための記憶領域が十分にない場合には、既に記憶されているユーザ設定のうち最も使用頻度の低いものから順番に消去するので、使用される可能性が比較的低いと考えられる、使用頻度の低いユーザ設定から消去することにより、ユーザの使い勝手を損なうことなく、新たなユーザ設定を記憶することができる。
【００１１】
請求項４に係る画像形成装置は、請求項１〜３のいずれかに記載の画像形成装置であって、前記自動記憶制御手段は、操作者特定情報に前記ユーザ設定を対応付けて前記ユーザ設定記憶手段に記憶させ、前記操作者特定情報が入力される操作者特定情報入力手段と、前記操作者特定情報入力手段により入力された操作者特定情報に対応付けられた、前記ユーザ設定記憶手段に記憶されている前記ユーザ設定を前記選択手段で操作者が選択可能な状態とする選択環境制御手段とを更に備えるものである。
【００１２】
この構成によれば、操作者は、過去に自分が記憶させたユーザ設定の中からユーザ設定を簡単に選択して装置に設定することができる。これにより、操作者は、操作者の個性により合致した、設定したい可能性のより高いユーザ設定のリストからユーザ設定を選択することができるようになる。
【００１３】
請求項５に係る画像形成装置は、請求項１〜４のいずれかに記載の画像形成装置であって、前記自動記憶制御手段は、前記ユーザ設定を前記ユーザ設定記憶手段に記憶させる場合に、当該ユーザ設定と、所定数以上の設定項目についての設定値が一致するユーザ設定が既に前記ユーザ設定記憶手段に記憶されている場合には、一方のユーザ設定のみを前記ユーザ設定記憶手段に記憶させるものである。
【００１４】
この構成によれば、類似したユーザ設定に関しては一方のみを記憶するので、記憶容量を節約することができる。また、ユーザ設定の選択が煩雑になることを避けることができる。
【発明の効果】
【００１５】
請求項１に記載の発明によれば、画像形成ジョブを実行するときに、画像形成ジョブの設定項目に対するユーザ設定を装置が自動的に記憶する。その後操作者は、装置に記憶されているユーザ設定の中から適当なユーザ設定を、選択手段を用いて選択し、装置に設定することができる。これにより、操作者が、操作の面倒な設定値の記憶を手動で行うことなく、ユーザ設定が装置に記憶されるので、操作者は、煩わしい操作を行うことなく、ユーザ設定を記憶させることができる。
【００１６】
請求項２に記載の発明によれば、操作者は手動で指示を与えてユーザ設定を装置に記憶することができるので、画像形成ジョブを実行しない場合であっても、所望のユーザ設定を記憶することができる。
【００１７】
請求項３の発明によれば、装置にユーザ設定を記憶するための記憶領域が十分にない場合には、既に記憶されているユーザ設定のうち最も使用頻度の低いものから順番に消去するので、使用される可能性が比較的低いと考えられる、使用頻度の低いユーザ設定から消去することにより、ユーザの使い勝手を損なうことなく、新たなユーザ設定を記憶することができる。
【００１８】
請求項４の発明によれば、操作者は、過去に自分が記憶させたユーザ設定の中からユーザ設定を簡単に選択して装置に設定することができる。これにより、操作者は、操作者の個性により合致した、設定したい可能性のより高いユーザ設定のリストからユーザ設定を選択することができるようになる。
【００１９】
請求項５の発明によれば、類似したユーザ設定に関しては一方のみを記憶するので、記憶容量を節約することができる。また、ユーザ設定の選択が煩雑になることを避けることができる。
【発明を実施するための最良の形態】
【００２０】
以下、本発明の一実施形態における画像形成装置について図面を参照しながら説明する。図１は、本発明の一実施形態に係る画像形成装置の一例である複写機の内部構成を概略的に示す側面図である。複写機１は、本体部１ａと、本体部１ａの左方に配設されたスタックトレイ１ｂと、本体部１ａの上部に配設された原稿読取部１ｃと、原稿読取部１ｃの上方に配設された原稿給送部１ｄとを有している。
【００２１】
また、複写機１のフロント部には、操作部２が設けられている。原稿読取部１ｃは、ＣＣＤ(Charge Coupled Device)センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを画像形成制御部（図示省略）へ出力する。また、原稿給送部１ｄにより給送された原稿を読み取るときは、原稿読取スリット５３と対向する位置に移動され、原稿読取スリット５３を介して原稿給送部１ｄによる原稿の搬送動作と同期して原稿の画像を取得し、その画像データを画像形成制御部へ出力する。
【００２２】
原稿給送部１ｄは、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００２３】
また、原稿給送部１ｄは、その前面側が上方に移動可能となるように本体部１ａに対して回動自在に設けられている。原稿給送部１ｄの前面側を上方に移動させて原稿台５２上面を開放することにより、原稿台５２の上面に読み取り原稿、例えば見開き状態にされた書籍等を操作者が載置できるようになっている。
【００２４】
本体部１ａは、それぞれ用紙種（両面に印刷が可能な普通紙、片面のみに印刷が可能な再利用紙等）やサイズが異なる記録紙を収納する複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。なお、各給紙カセット４６１に収容されている用紙種及び用紙サイズは画像形成制御部に記憶されており、操作者が印刷に用いる用紙種を設定すると、その用紙種が収容されている給紙カセット４６１から記録紙が給紙されるようになっている。
【００２５】
記録部４０は、スキャナ部５１で取得された画像データに基づきレーザ光等を出力して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられ、記録紙をスタックトレイ１ｂ又は排出トレイ４８まで搬送する搬送ローラ４６３，４６４等とを備える。
【００２６】
図２は、本実施形態における複写機１の機能構成を示すブロック図である。複写機１は、操作部２、制御部１０、及び複写機本体部３を備える。ここで、複写機本体部３は、複写機１における操作部２及び制御部１０以外の部分全てである。操作部２は、複写機１の操作用ユーザインターフェースで例えば図３に示す外観を有するものである。図３に示すように操作部２は、タッチパネルディスプレイ２１、並びにスタートボタン２２、設定値登録ボタン２３、登録設定値呼出ボタン２４、テンキーボタン２５、ログアウトボタン２６等の各種操作ボタンが備えられる。スタートボタン２２は、複写の開始を指示するためのボタンである。設定値登録ボタン２３は、複写条件の設定に関する所定の設定項目（例えば操作者が設定可能な全設定項目から部数設定を除くもの）の現在の設定値（ユーザ設定）を装置に登録することを指示するためのボタンである。登録設定値呼出ボタン２４は、装置に既に登録されているユーザ設定（以下、登録設定値という。）を呼び出して装置に設定することを指示するためのボタンである。ここで、設定とは、現在使用するための設定値を装置に記憶することで、登録とは、将来呼び出して使用するための設定値を装置に記憶することとする。ログアウトボタン２６は、ユーザ認証を行ってログインした装置からログアウトすることを指示するためのボタンである。
【００２７】
操作部２は、スタートボタン２２の押下を受け付けた場合には、その旨を複写制御部１４（後述）と設定値登録制御部１５（後述）に送信する。操作部２は、設定値登録ボタン２３の押下を受け付けた場合には、その旨を設定値登録制御部１５に送信する。操作部２は、各種複写条件の設定の入力を受け付けた場合には、その設定値を設定値記憶部１１（後述）の対応する設定項目に書き込む。
【００２８】
操作部２は、登録設定値呼出ボタン２４の押下を受け付けた場合には、その旨を設定値登録制御部１５に送信する。これを受けて設定値登録制御部１５から送信された登録設定値のリストに基づき、登録設定値選択画面（図３参照）をタッチパネルディスプレイ２１に表示する。図３のタッチパネルディスプレイ２１に示されている画面が、登録設定値選択画面の例である。登録リスト欄２１２には、登録設定値のリストとして、デフォルト値を除いた各設定値がスラッシュにより区切られ表示されたラベルのリストが表示される。リスト番号欄２１１にはリストの順に付加された番号が表示される。このリストの順番は例えば使用頻度（選択回数）の高い順である。設定値登録ボタン２３を押下することにより登録（手動登録）された登録設定値の場合には、リスト番号に目印２１４（例えばリスト番号を枠で囲ったもの）が付けられている。複写ジョブの実行を契機に登録（自動登録）された登録設定値の場合には、この目印は付けられない。登録リスト２１２の次の頁がある場合には、上下キー２１３の押下によりその前後の頁に登録リスト２１２の表示が切り替わる。
【００２９】
操作部２は、登録設定値選択画面において、登録リスト２１２のラベルのいずれかにタッチされたことを受け付けた場合には、そのラベルの登録設定値の例えばリスト番号２１１を設定値登録制御部１５に送信する。設定値登録制御部１５は、これを受けてそのリスト番号２１１に対応する登録設定値（各設定項目の設定値）を設定値登録記憶部１２から読み出して設定値記憶部１１に書き込む。
【００３０】
操作部２は、ユーザ認証画面（図略）において、ユーザＩＤが入力されたことを受け付けた場合には、そのユーザＩＤをユーザ認証部１３に送信する。ユーザ認証部１３は、これを受けてユーザ認証部１３が予め保持するユーザＩＤリストにそのユーザＩＤがあるか否かをチェックし、ある場合には、操作部２に認証成功の旨を送信すると共に、そのユーザＩＤをユーザＩＤ記憶部１６に書き込む。入力されたユーザＩＤがユーザＩＤリストにない場合には、ユーザ認証部１３は、認証不成功の旨を操作部２に送信する。操作部２は、ユーザ認証部１３から認証不成功の旨を受信した場合には、ユーザＩＤの入力以外の操作を操作者から受け付けないようにする。操作部２は、ログアウトボタン２６の押下を受け付けた場合には、ユーザ認証画面を表示し、ユーザＩＤの入力以外の操作を操作者から受け付けないようにする。
【００３１】
次に、制御部１０の説明を行う。制御部１０は、複写機１全体を制御するもので、例えばＣＰＵ（中央処理装置）及びＲＡＭ（ランダムアクセスメモリ）、ＲＯＭ（リードオンリーメモリ）等からなる。制御部１０は、設定値記憶部１１、設定値登録記憶部１２、ユーザ認証部１３、複写制御部１４、設定値登録制御部１５、ユーザＩＤ記憶部１６を備える。
【００３２】
設定値記憶部１１は、各種複写条件（例えば、両面印刷、集約等）の装置１への現在の設定値を記憶するものである。設定値登録記憶部１２は、装置１に対して登録された登録設定値（ユーザ設定）を記憶するものである。設定値登録記憶部１２は、このために図４に示す登録設定値リストを記憶する。登録設定値リストのユーザＩＤ欄１２１には、設定値が登録されたときの、装置（複写機）１を使用するためのユーザ認証に用いられたユーザＩＤを記憶する。自動／手動種別欄１２２には、設定値の登録が自動（スタートボタン２２の押下を契機に）で行われたものか、手動（設定値登録ボタン２３の押下により）で行われたものかの種別を記憶する。選択回数欄１２３には、その行の登録設定値が選択された回数を記憶する。設定項目欄１２４には、設定可能な（ただし、複写部数を除く）全ての複写条件の設定値を記憶する。ただし、設定値がデフォルト値である場合には、「ｄｅｆ．」と記入する。図３に示される登録設定値選択画面の登録リスト２１２は、図４に示される登録設定値リストが設定値登録記憶部１２に記憶されている場合に、ユーザＩＤが「ＡＡＡ」であるユーザが登録設定値呼出ボタン２４を押下した場合に表示されるものである。登録リスト２１２には登録設定値リストの登録設定値のうちユーザＩＤ欄１２１が「ＡＡＡ」であるもののみが表示される。また、その表示順序は、自動／手動種別欄１２２に「手動」と記載されたものが先に表示され、それぞれ（「手動」又は「自動」）の中では、選択回数欄１２３に記載された値が大きい順に表示される。
【００３３】
ユーザＩＤ記憶部１６は、当該複写機１を現像使用中のユーザのユーザＩＤを記憶するものである。ユーザ認証部１３は、操作部２からユーザＩＤを受信した場合に、ユーザ認証部１３が予め保持する、当該複写機１の使用を許可するユーザのユーザＩＤリストに、受信したユーザＩＤがあるか否かをチェックする。操作部２は、ユーザＩＤがユーザＩＤリストにある場合には、認証成功である旨を操作部２に返信すると共に、そのユーザＩＤをユーザＩＤ記憶部１６に書き込む。操作部２は、ユーザＩＤがユーザＩＤリストにない場合には、認証不成功である旨を操作部に返信する。
【００３４】
設定値登録制御部１５は、設定値登録ボタン２３が押下された旨を操作部２から受信した場合、又はスタートボタン２２が押下された旨を操作部２から受信した場合には、設定値記憶部１１の内容を設定値登録記憶部１２の登録設定値リストに書き込む。このとき、設定値登録制御部１５は、例えば現在の設定値（設定値記憶部１１の内容）が設定値登録記憶部１２の登録設定値リストの内容に統合できる場合には統合する。具体的には、例えば現在の設定値と１つの設定項目の値のみが異なる登録設定値がある場合（ただし、ユーザＩＤ欄１２１のユーザＩＤとユーザＩＤ記憶部１６のユーザＩＤが同一で、手動登録の場合には自動／手動種別欄１２２に手動、自動登録の場合には自動／手動種別欄１２２に自動が設定されている登録設定値のみを対象にする。）には、これらを統合（設定値記憶部１１の内容と、１つの設定項目の設定値のみこれと異なる登録設定値のいずれか一方のみを登録設定値として記憶）して登録（設定値登録記憶部１２に記憶）する。これには、例えば異なる１つの設定項目の設定値がデフォルト値に近い方の設定値を登録する。また、設定値記憶部の内容と１つの設定項目の設定値のみが異なる登録設定値が複数ある場合には、例えば、使用頻度の最も低い登録設定値を統合の対象とする。登録設定値リスト（図４）に新たな行を作る場合には、ユーザＩＤ欄１２１には、ユーザＩＤ記憶部１６に記憶されているユーザＩＤ、自動／手動種別欄１２２には、自動登録であれば「自動」手動登録であれば「手動」、選択回数欄１２３には「０」、設定項目欄１２４には設定値記憶部１１の内容を書き込む。
【００３５】
設定値登録制御部１５は、登録設定値呼出ボタン２４の押下を受け付けた旨を操作部２から受信した場合には、ユーザＩＤ記憶部１６（後述）からユーザＩＤを読み出して、そのユーザＩＤがユーザＩＤ欄１２１（図４参照）に記載されている登録設定値を、設定値登録記憶部１２の登録設定値リストから読み出して、その登録設定のリストを操作部２に送信する。
【００３６】
複写制御部１４は、操作部２からスタートボタン２２が押下された旨を受信した場合に、複写を行うための制御を行うものである。複写制御部１４は、このとき、設定値記憶部１１から複写条件の設定値を読み出し、これに基づいて複写機本体部３を制御することにより複写を行わせる。
【００３７】
図５及び図６は、複写機１における設定値の登録の制御の流れを示すフローチャートである。ステップＳ１〜ステップＳ３は、ユーザ認証の処理である。ステップＳ１では、操作部２は、操作者によるユーザＩＤの入力を受け付けたか否かをチェックし、受け付けなかった場合には（ステップＳ１でＮＯ）、入力されるまでステップＳ１の処理を繰り返す。ユーザＩＤの入力を受け付けた場合には（ステップＳ１でＹＥＳ）、ステップＳ２へ進む。ステップＳ２では、操作部２は入力されたユーザＩＤをユーザ認証部１３に送信し、ユーザ認証部１３は自身の保持するユーザＩＤリストに、入力されたユーザＩＤがあるか否かをチェックする。入力されたユーザＩＤがユーザＩＤリストにあった場合にはユーザ認証が成功であるとして（ステップＳ２でＹＥＳ）、ステップＳ３へ進む。認証が成功しなかった場合（入力されたユーザＩＤがユーザＩＤリストになかった場合）には（ステップＳ２でＮＯ）、ステップＳ１に戻りユーザＩＤの入力から再度行う。ステップＳ３では、ユーザ認証部１３はユーザＩＤ記憶部１６に、入力されたユーザＩＤを書き込む。
【００３８】
ステップＳ４〜ステップＳ８は、登録されている設定値を呼び出して装置１に設定する処理である。ステップＳ４では、操作部２は、登録設定値呼出ボタン２４の押下を受け付けたか否かをチェックする。登録設定値呼出ボタン２４の押下を受け付けた場合には（ステップＳ４でＹＥＳ）、ステップＳ５へ進む。ステップＳ５では、操作部２は、設定値登録制御部１５に登録設定値呼出ボタン２４が押下された旨を送信する。設定値登録制御部１５は、ユーザＩＤ記憶部１６からユーザＩＤを読み出し、設定値登録記憶部１２の登録設定値リストのうちユーザＩＤ欄１２１の記載がユーザＩＤ記憶部１６から読み出したユーザＩＤと同じである行の登録設定値１２４を読み出し、その登録設定値を操作部２に送信する。これを受けて、操作部２は、受信した登録設定値を基に操作部２のタッチパネル２１に登録設定値選択画面（登録設定値の選択リスト）を表示する。ステップＳ６では、操作部は、登録設定値選択画面の登録設定値の１つが選択されたか否か（例えば、登録リスト欄２１２のラベルの１つが押下された）をチェックし、選択されなかった場合には（ステップＳ６でＮＯ）、ステップＳ６の処理を繰り返す。登録設定値の１つが選択された場合には（ステップＳ６でＹＥＳ）、ステップＳ７へ進む。ステップＳ７では、操作部２は、設定値登録記憶部１２の登録設定値リストの、選択された登録設定値の行の選択回数欄１２３の値をインクリメントする。ステップＳ８では、操作部２は、選択された登録設定値の種別（例えばリスト番号）を設定値登録制御部１５に送信する。設定値登録制御部１５はこれを受けて、選択された登録設定値（の各設定項目の設定値）を設定値登録記憶部１２の登録設定値リストから読み出し、設定値記憶部１１に書き込む。ステップＳ４の分岐において登録設定値呼出ボタン２４が押下されなかった場合（ステップＳ４でＮＯ）、ステップＳ８の処理が終了した場合にはステップＳ９へ進む。
【００３９】
ステップＳ９〜ステップＳ１０は、装置１の任意の設定項目に対する値の設定の処理である。ステップＳ９では、操作部２は、操作者により任意の設定項目（例えば、両面印刷、集約等）の設定値が入力されたことを受け付けたか否かをチェックし、受け付けた場合には（ステップＳ９でＹＥＳ）、ステップＳ１０へ進む。ステップＳ１０では、操作部２は、入力された設定値を設定値記憶部１１のその設定項目の欄に書き込む。ステップＳ９の分岐においていずれの設定項目にも設定値が入力されなかった場合（ステップＳ９でＮＯ）、及びステップＳ１０の処理が終了した場合には、ステップＳ１１へ進む。
【００４０】
ステップＳ１１〜ステップＳ１６は、操作者による手動の設定値の登録の処理である。ステップＳ１１では、操作部２は、設定値登録ボタン２３の押下を受け付けたか否かをチェックし、受け付けた場合には（ステップＳ１１でＹＥＳ）、ステップＳ１２へ進む。ステップＳ１２では、操作部２は、設定値登録制御部１５に設定値登録ボタン２３が押下された旨を送信する。設定値登録制御部１５はこれを受けて、設定値記憶部１１の内容を設定値登録記憶部１２に書き込む処理を行う。このため、まず、設定値記憶部１１の内容が設定値登録記憶部１２に既に登録されているものと統合できるか否かをチェックする。設定値登録制御部１５は、設定値記憶部１１の内容と１つの設定項目の設定値のみが異なる登録設定値が設定値登録記憶部１２にあるか否かをチェックし、ない場合には（ステップＳ１２でＮＯ）、ステップＳ１３へ進む。
【００４１】
ステップＳ１３では、設定値登録制御部１５は設定値登録記憶部１２に登録設定値を書き込むための領域が空いているか否かをチェックし、空いていない場合には（ステップＳ１３でＮＯ）、ステップＳ１４へ進む。ステップＳ１４では、設定値登録制御部１５は設定値登録記憶部１２の登録設定値リストの選択回数１２３の最も小さい行の登録設定値を消去する。ステップＳ１５では、設定値登録制御部１５は設定値記憶部１１の内容を設定値登録記憶部１２の登録設定値リストに追加する。このとき、ユーザＩＤ記憶部の内容をユーザＩＤ欄１２１に、自動／手動種別欄１２２には「手動」、選択回数欄１２３には「０」、設定項目欄１２４には設定値記憶部１１の内容を書き込む。
【００４２】
ステップＳ１２の分岐において統合可能な登録設定値が登録設定値リストにある場合には（ステップＳ１２でＹＥＳ）、ステップＳ１６へ進む。ステップＳ１６では、設定値記憶部１１の内容と統合対象の登録設定値とを統合して登録設定値リストに書き込む。ステップＳ１１の分岐において設定値登録ボタン２３が押下されなかった場合（ステップＳ１１でＮＯ）、ステップＳ１５の処理が終了した場合、ステップＳ１６の処理が終了した場合には、ステップＳ１７へ進む。
【００４３】
ステップＳ１７〜ステップＳ２２は、設定値の自動登録の処理である。ステップＳ１７では、操作部２は、スタートボタン２２の押下を受け付けたか否かをチェックし、受け付けた場合には（ステップＳ１７でＹＥＳ）、ステップＳ１８へ進む。ステップＳ１８〜ステップＳ２２の処理は、スタートボタン２２が設定値登録ボタン２３の代わりとなること、及び登録設定値リストに登録設定値が追加される際に自動／手動種別欄１２２が「自動」とされること以外はステップＳ１２〜ステップＳ１６の処理と基本的に同じであるので説明を省略する。
【００４４】
ステップＳ２３では、複写制御部１４は、設定値記憶部１１から各設定項目の設定値を読み出してそれを用いて複写機本体部３を制御することにより複写処理を行う。ステップＳ２４では、操作部２は、ログアウトボタン２６の押下を受け付けたか否かをチェックする。ログアウトボタン２６の押下を受け付けなかった場合（ステップＳ２４でＮＯ）、及びステップＳ１７の分岐においてスタートボタン２２が押下されなかった場合（ステップＳ１７でＮＯ）には、ステップＳ４へ戻り、ステップＳ４からの処理を繰り返す。ステップＳ２４においてログアウトボタン２６の押下を受け付けた場合には（ステップＳ２４でＹＥＳ）、ステップＳ１へ戻りステップＳ１からの処理を繰り返す。
【００４５】
このように本実施形態によれば、複写を行うことを契機に複写条件に対する設定値が複写機に登録され、登録された設定値はその後呼び出して使用できる。これにより、操作者が意識することなく、設定値が登録されるので、設定値登録機能を用意に使用することができる。
【００４６】
なお、本発明は、上記実施形態のものに限定されるものではなく、以下に述べる態様を採用することができる。本実施形態においては、画像形成装置として複写機を用いて説明したが、プリンタ、ファクシミリ装置等やこれらの機能を統合した複合機であってもよい。
【００４７】
また、本実施形態においては、複写機を用いる場合には、必ずユーザ認証を行うようにしたが、ユーザ認証は必ず行う必要はなく、ユーザ認証を行った場合には、そのユーザにより（自動及び手動により）登録された登録設定値から、ユーザ認証を行わなかった場合には、ユーザ認証を行わないで（自動及び手動により）登録された登録設定値から登録設定値を選択させるようにしてもよい。
【００４８】
本実施形態においては、登録設定値の設定項目に複写部数を含めないようにしたが、複写部数を含むようにしてもよい。本実施形態においては、１つの設定項目の設定値のみが一致しなかった場合に登録設定値を統合することとしたが、これは必ずしも１つである必要はなく、予め定めておいた数分の設定項目の設定値が一致しなかった（又は一致した）場合であればよい。
【００４９】
本実施形態においては、登録設定値が選択された頻度の情報として、過去における全選択回数を用いたが、所定期間（例えば最近１週間）の選択回数（選択頻度）を求めるようにしてもよい。
【００５０】
本実施形態においては、登録設定値を記憶するための領域が十分にない場合には、登録設定値の選択頻度が最も低いものから順に登録設定値を消去したが、例えば登録時期が最も古いものから順に消去するようにしてもよい。
【００５１】
本実施形態においては、登録設定値選択画面において、登録設定値を使用頻度が高いものから表示するようにしたが、これは例えば登録時期が古いものから順に表示してもよいし、例えば操作者が少数（例えば１つ）の設定項目の設定値を指定して、それに合致する登録設定値のみを表示するようにしてもよい。
【図面の簡単な説明】
【００５２】
【図１】本発明の一実施形態における画像形成装置の機械的構成を示す側面外略図である。
【図２】本発明の一実施形態における画像形成装置の機能的構成を示すブロック図である。
【図３】本発明の一実施形態における操作部の外観の例を示す上面図である。
【図４】本発明の一実施形態における登録設定値リストの一例を示す図である。
【図５】本発明の一実施形態における画像形成装置の処理の流れを示すフローチャートである。
【図６】本発明の一実施形態における画像形成装置の処理の流れを示すフローチャートである。
【符号の説明】
【００５３】
１  複写機（画像形成装置）
１２  設定値登録記憶部（ユーザ設定記憶手段）
１２３  選択回数（頻度情報）
１３  ユーザ認証部（操作者特定情報入力手段）
１５  設定値登録制御部（自動記憶制御手段、設定手段、手動記憶制御手段、頻度情報付加手段、消去手段）
２  操作部（選択手段、指示手段）
２３  設定値登録ボタン（指示手段）
３  複写機本体部（画像形成ジョブ実行手段）
【図１】
2006039470.tif 000003
【図２】
2006039470.tif 000004
【図３】
2006039470.tif 000005
【図４】
2006039470.tif 000006
【図５】
2006039470.tif 000007
【図６】
2006039470.tif 000008